(57)【要約】【課題】外部との接続に使用する光ファイバを１本にするとともに、温度調整機構を省いて、光通信サービスのコストを低減可能にする。【解決手段】光分波器１０６、光合波器１０３の透過帯域を、送信部の温度変動による発振波長シフト幅以上とし、かつ透過帯域の中心波長をグリッド波長より長波長側にずらすとともに、光合波器１０３の出力部と光分波器１０６の入力部とを光合分流器１１０を介して外部に接続する。【選択図】            図１
2004297559.tif 000002
【特許請求の範囲】
【請求項１】
外部から入力された複数の光信号をそれぞれ受信し、該光信号に対応した強度のそれぞれ異なる所定の波長の光信号を出力する複数の単波長光源器と、
該複数の単波長光源器からの複数の光信号を合波して一つの多波長光信号として出力する光合波器と、
それぞれ波長の異なる複数の光信号が合波された一つの多波長光信号を波長毎に分波して波長の異なる複数の光信号として出力する光分波器と、
該光分波器からの波長の異なる複数の光信号をそれぞれ受信し、増幅・波形整形して出力する複数の単波長受光器と、
前記光合波器の出力部と光分波器の入力部と外部とを、光合波器の出力部からの光信号が外部に出力され、外部から入力された光信号が光分波器の入力部に入力される如く接続する光合分流器とを具備し、
前記光分波器及び光合波器の透過帯域が、前記複数の単波長光源器及び光合波器によって構成される送信部の温度変動による発振波長のシフト幅以上であり、かつ前記透過帯域の中心波長がＩＴＵ−Ｔグリッド波長より長波長側にずらされている
ことを特徴とする光波長分割多重伝送インタフェース装置。
【請求項２】
外部から入力された複数の光信号をそれぞれ受信し、該光信号に対応した強度のそれぞれ異なる所定の波長の光信号を出力する複数の単波長光源器と、
該複数の単波長光源器からの複数の光信号を合波して一つの多波長光信号として出力する光合波器と、
それぞれ波長の異なる複数の光信号が合波された一つの多波長光信号を波長毎に分波して波長の異なる複数の光信号として出力する光分波器と、
前記光合波器の出力部と光分波器の入力部と外部とを、光合波器の出力部からの光信号が外部に出力され、外部から入力された光信号が光分波器の入力部に入力される如く接続する光合分流器とを具備し、
前記光分波器及び光合波器の透過帯域が、前記複数の単波長光源器及び光合波器によって構成される送信部の温度変動による発振波長のシフト幅以上であり、かつ前記透過帯域の中心波長がＩＴＵ−Ｔグリッド波長より長波長側にずらされている
ことを特徴とする光波長分割多重伝送インタフェース装置。
【請求項３】
外部から入力された複数の光信号をそれぞれ受信し、該光信号に対応した強度のそれぞれ異なる所定の波長の光信号を出力する複数の単波長光源器と、
波長の異なる複数の光信号をそれぞれ受信し、増幅・波形整形して出力する複数の単波長受光器と、
複数のポートに入力されたそれぞれ波長の異なる複数の光信号を合波して一つの多波長光信号として外部へ出力し、かつ外部から入力された一つの多波長信号を波長毎に分波して波長の異なる複数の光信号として複数のポートへ出力する光合分波器と、
前記複数の単波長光源器の出力部と複数の単波長受光器の入力部と光合分波器の複数のポートとを、単波長光源器の出力部からの光信号が光合分波器に入力され、光合分波器から出力された光信号が単波長受光器の入力部に入力される如くそれぞれ接続する複数の光合分流器とを具備し、
前記光分波器及び光合波器の透過帯域が、前記複数の単波長光源器、複数の光合分流器及び光合波器によって構成される送信部の温度変動による発振波長のシフト幅以上であり、かつ前記透過帯域の中心波長がＩＴＵ−Ｔグリッド波長より長波長側にずらされている
ことを特徴とする光波長分割多重伝送インタフェース装置。
【請求項４】
外部から入力された複数の光信号をそれぞれ受信し、該光信号に対応した強度のそれぞれ異なる所定の波長の光信号を出力する複数の単波長光源器と、
複数のポートに入力されたそれぞれ波長の異なる複数の光信号を合波して一つの多波長光信号として外部へ出力し、かつ外部から入力された一つの多波長信号を波長毎に分波して波長の異なる複数の光信号として複数のポートへ出力する光合分波器と、
前記複数の単波長光源器の出力部と外部への複数のポートと光合分波器の複数のポートとを、単波長光源器の出力部からの光信号が光合分波器に入力され、光合分波器から出力された光信号が外部へのポートに入力される如くそれぞれ接続する複数の光合分流器とを具備し、
前記光分波器及び光合波器の透過帯域が、前記複数の単波長光源器、複数の光合分流器及び光合波器によって構成される送信部の温度変動による発振波長のシフト幅以上であり、かつ前記透過帯域の中心波長がＩＴＵ−Ｔグリッド波長より長波長側にずらされている
ことを特徴とする光波長分割多重伝送インタフェース装置。
【請求項５】
前記光合分流器が光カプラであることを特徴とする請求項１乃至４のいずれかに記載の光波長分割多重伝送インタフェース装置。
【請求項６】
前記光合分流器が光サーキュレータであることを特徴とする請求項１乃至４のいずれかに記載の光波長分割多重伝送インタフェース装置。
【請求項７】
外部から入力された複数の光信号をそれぞれ受信し、該光信号に対応した強度のそれぞれ異なる所定の波長の光信号を出力する複数の単波長光源器と、
波長の異なる複数の光信号をそれぞれ受信し、増幅・波形整形して出力する複数の単波長受光器と、
前記複数の単波長光源器からの複数の光信号を合波して一つの多波長光信号として外部へ出力し、かつ外部から入力された一つの多波長信号を波長毎に分波して波長の異なる複数の光信号として前記複数の単波長受光器へ入力する光合分波器とを具備し、
前記光分波器及び光合波器の透過帯域が、前記複数の単波長光源器及び光合分波器によって構成される送信部の温度変動による発振波長のシフト幅以上であり、かつ前記透過帯域の中心波長がＩＴＵ−Ｔグリッド波長より長波長側にずらされている
ことを特徴とする光波長分割多重伝送インタフェース装置。
【請求項８】
外部から入力された複数の光信号をそれぞれ受信し、該光信号に対応した強度のそれぞれ異なる所定の波長の光信号を出力する複数の単波長光源器と、
前記複数の単波長光源器からの複数の光信号を合波して一つの多波長光信号として外部へ出力し、かつ外部から入力された一つの多波長信号を波長毎に分波して波長の異なる複数の光信号として外部へ出力する光合分波器とを具備し、
前記光分波器及び光合波器の透過帯域が、前記複数の単波長光源器及び光合分波器によって構成される送信部の温度変動による発振波長のシフト幅以上であり、かつ前記透過帯域の中心波長がＩＴＵ−Ｔグリッド波長より長波長側にずらされている
ことを特徴とする光波長分割多重伝送インタフェース装置。
【請求項９】
前記光分波器及び光合波器の透過帯域の中心波長が長波長側にずらされたことを特徴とする請求項１乃至８のいずれかに記載の光波長分割多重伝送インタフェース装置。
【発明の詳細な説明】
【０００１】
【発明の属する技術分野】
本発明は、光波長分割多重伝送インタフェース装置に関し、特に多波長光源装置の構成技術に関する。
【０００２】
【従来の技術】
複数の光信号に異なる光周波数を割り当て、これらを１本の光ファイバで伝送する光波長分割多重（ＷＤＭ）伝送システムは、伝送容量を大幅に増大することができる。
【０００３】
図５は、その光波長分割多重伝送システムに用いられる従来の光波長分割多重伝送インタフェース装置を示すブロック図である。この光波長分割多重伝送インタフェース装置は、複数の上り入力端子５０１と、これらの上り入力端子５０１ごとに設けられた複数の単波長光源器５０２と、これらの単波長光源器５０２からの各波長の光信号を合波する光合波器５０３と、合波した光信号の上り出力端子５０４とを順次直列に接続して構成した送信部を有する。
【０００４】
また、光波長分割多重伝送インタフェース装置は、下り入力端子５０５と、下り入力端子５０５からの光信号を分波する光分波器５０６と、この光分波器５０６からの複数の波長毎の出力を受光する複数の単波長受光器５０７と、それぞれの単波長受光器５０７ごとに設けられた下り出力端子５０８とを順次直列に接続して構成した受信部を有する（例えば、特許文献１参照）。
【０００５】
従って、前記構成によれば、上り入力端子５０１から波長が異なる複数の光入力信号を入力すると、単波長光源器５０２は、あらかじめ設定されたそれぞれ異なる所定の周波数の光信号を、前記光入力信号にそれぞれ対応した振幅で発振する。また、各光波長光源器５０２からの光信号を、光合波器５０３で合波することで一つの多波長光信号にし、一つの上り出力端子５０４を通じて外部へ出力する。
【０００６】
また、光波長分割多重伝送インタフェース装置において、一つの多波長光信号を外部から一つの下り入力端子５０５を通じて受信すると、その受信光信号が光分波器５０６で分波され、それぞれ波長の異なる単波長の複数の受信光信号とされる。これら波長の異なる複数の受信光信号は単波長受光器５０７で受信され、得られた光信号を複数の下り出力端子５０８を通じてそれぞれ出力する。
【０００７】
ここで、単波長光源器５０２として半導体レーザが、光合波器５０３、光分波器５０６としてアレイ導波路回折格子が、それぞれ一般に用いられる。半導体レーザは素子温度の１℃の変化に対して、発振波長が０．１ｎｍ変化する。アレイ導波路回折格子の透過帯域は１ｎｍ変化する。このため、引用文献１に記載されているように、光信号を取り出すために半導体レーザの素子温度を精密に調整する必要がある。
【０００８】
【特許文献１】
特開２００１−２４９２３６号公報
【０００９】
【発明が解決しようとする課題】
しかしながら、従来の光波長分割多重伝送インタフェース装置では、これを外部の装置と接続するのに、上りに１本、下りに１本で合計２本の光ファイバが必要になる。光通信サービスにおいては、使用する光ファイバのコストは光ファイバの本数と距離に比例するため、低廉なサービスを提供するためには使用する光ファイバの本数を減らす必要があった。
【００１０】
また、半導体レーザの素子温度の調整には、半導体レーザやアレイ導波路回折格子のチップの収容ケースの中に、サーミスタなどの温度検知素子、およびペルチェ素子などの温度調整素子を配置し、さらに温度制御用の外部制御回路を設ける必要があった。このため、素子自体が高価であることと合わせて、装置のコストが非常に高くなる。
【００１１】
本発明は、かかる従来の問題点に鑑みてなされたものであり、その目的は、外部との接続に使用する光ファイバが１本で済み、かつ温度調整機構を備える必要がなく、光通信サービスのコストを低減できる光波長分割多重伝送インタフェース装置を提供することにある。
【００１２】
【課題を解決するための手段】
前記目的達成のために、請求項１の発明にかかる光波長分割多重伝送インタフェース装置は、外部から入力された複数の光信号をそれぞれ受信し、該光信号に対応した強度のそれぞれ異なる所定の波長の光信号を出力する複数の単波長光源器と、該複数の単波長光源器からの複数の光信号を合波して一つの多波長光信号として出力する光合波器と、それぞれ波長の異なる複数の光信号が合波された一つの多波長光信号を波長毎に分波して波長の異なる複数の光信号として出力する光分波器と、該光分波器からの波長の異なる複数の光信号をそれぞれ受信し、増幅・波形整形して出力する複数の単波長受光器と、前記光合波器の出力部と光分波器の入力部と外部とを、光合波器の出力部からの光信号が外部に出力され、外部から入力された光信号が光分波器の入力部に入力される如く接続する光合分流器とを具備し、前記光分波器及び光合波器の透過帯域が、前記複数の単波長光源器及び光合波器によって構成される送信部の温度変動による発振波長のシフト幅以上であり、かつ前記透過帯域の中心波長がＩＴＵ−Ｔグリッド波長より長波長側にずらされていることを特徴とする。
【００１３】
これにより、インタフェース装置を外部の装置と接続する光ファイバの使用量を半減でき、光波長分割多重伝送装置および光通信サービスを廉価に提供することができる。また、この結果、従来行われていた送信部における半導体レーザの温度制御のための、温度検知素子や温度制御（調整）素子を用意する必要がなくなり、温度変動を許容しながら透過帯域幅を必要最低減にでき、装置のコスト上昇を回避することができる。
【００１４】
また、請求項３の発明にかかる光波長分割多重伝送インタフェース装置は、外部から入力された複数の光信号をそれぞれ受信し、該光信号に対応した強度のそれぞれ異なる所定の波長の光信号を出力する複数の単波長光源器と、波長の異なる複数の光信号をそれぞれ受信し、増幅・波形整形して出力する複数の単波長受光器と、複数のポートに入力されたそれぞれ波長の異なる複数の光信号を合波して一つの多波長光信号として外部へ出力し、かつ外部から入力された一つの多波長信号を波長毎に分波して波長の異なる複数の光信号として複数のポートへ出力する光合分波器と、前記複数の単波長光源器の出力部と複数の単波長受光器の入力部と光合分波器の複数のポートとを、単波長光源器の出力部からの光信号が光合分波器に入力され、光合分波器から出力された光信号が単波長受光器の入力部に入力される如くそれぞれ接続する複数の光合分流器とを具備し、前記光分波器及び光合波器の透過帯域が、前記複数の単波長光源器、複数の光合分流器及び光合波器によって構成される送信部の温度変動による発振波長のシフト幅以上であり、かつ前記透過帯域の中心波長がＩＴＵ−Ｔグリッド波長より長波長側にずらされていることを特徴とする。
【００１５】
これにより、光分波器と光合波器とをユニット化して、ユニット化された光合分波器の回路配置、接続、取扱いを容易にできるとともに、光ファイバの使用量を大幅に低減できる。
【００１６】
また、請求項５の発明にかかる光波長分割多重伝送インタフェース装置は、前記光合分流器が光カプラであることを特徴とする。これにより、光合分流動作を低損失にて実現できる。
【００１７】
また、請求項６の発明にかかる光波長分割多重伝送インタフェース装置は、前記光合分流器が光サーキュレータであることを特徴とする。これにより、光合分流動作を低損失にて実現できる。
【００１８】
また、請求項７の発明にかかる光波長分割多重伝送インタフェース装置は、外部から入力された複数の光信号をそれぞれ受信し、該光信号に対応した強度のそれぞれ異なる所定の波長の光信号を出力する複数の単波長光源器と、波長の異なる複数の光信号をそれぞれ受信し、増幅・波形整形して出力する複数の単波長受光器と、前記複数の単波長光源器からの複数の光信号を合波して一つの多波長光信号として外部へ出力し、かつ外部から入力された一つの多波長信号を波長毎に分波して波長の異なる複数の光信号として前記複数の単波長受光器へ入力する光合分波器とを具備し、前記光分波器及び光合波器の透過帯域が、前記複数の単波長光源器及び光合分波器によって構成される送信部の温度変動による発振波長のシフト幅以上であり、かつ前記透過帯域の中心波長がＩＴＵ−Ｔグリッド波長より長波長側にずらされていることを特徴とする。
【００１９】
これにより、光合分流器の使用を省略でき、装置コストの大幅な低減を図ることができる。
【００２０】
また、請求項９の発明にかかる光波長分割多重伝送インタフェース装置は、前記光分波器及び光合波器の透過帯域の中心波長が長波長側にずらされたことを特徴とする。これにより、ＩＴＵ−Ｔ勧告のグリッド波長の制約を受けずに、従来行われていた送信部における半導体レーザの温度制御のための、温度検知素子や温度制御（調整）素子を用意する必要がなくなり、温度変動を許容しながら透過帯域幅を低減でき、装置のコスト上昇を抑えることができる。
【００２１】
また、請求項２、４及び８の発明にかかる光波長分割多重伝送インタフェース装置は、それぞれ請求項１、３及び７の発明にかかる光波長分割多重伝送インタフェース装置において単波長受光器を省略したことを特徴とし、これによって構成の簡素化とコストの低減を実現できる。
【００２２】
【発明の実施の形態】
以下、本発明の実施の形態を図面を参照して詳しく説明する。
【００２３】
図１は、本発明の第１の実施の形態による光波長分割多重伝送インタフェース装置を示すブロック図である。このインタフェース装置は、複数の上り入力端子１０１と、これらに対応する波長特性を有する複数の単波長光源器１０２と、これらの単波長光源器１０２からの各波長の光信号を合波する光合波器１０３と、これらの光合波器１０３の上り出力端子１０４と、光合分流器１１０と、光信号入出力用の光端子１０９とを、順次直列接続して構成した送信部を有する。
【００２４】
また、前記インタフェース装置は、前記光端子１０９と、光合分流器１１０と、下り入力端子１０５、下り入力端子１０５からの光信号を分波する光分波器１０６と、この光分波器１０６の複数の波長出力にそれぞれ対応して設けられた複数の単波長受光器と、これらの単波長受光器１０７に対応する複数の下り出力端子１０８とを順次直列に接続して構成した受信部を有する。
【００２５】
次に動作について説明する。上り入力端子１０１のそれぞれから波長の異なる光入力信号を入力すると、単波長光源器１０２はあらかじめ設定されたそれぞれ異なる所望の周波数の光信号を、前記光入力信号にそれぞれ対応した振幅で発振する。また、各単波長光源器１０２からの複数の光信号を光合波器１０３で合波することで一つの多波長光信号にし、一つの上り出力端子１０４へ出力する。さらに、その上り出力端子１０４から多波長光信号を光合分流器１１０を通じて光端子１０９へ出力する。
【００２６】
一方、前記インタフェース装置は外部から供給される一つの多波長光信号を光端子１０９、光合分流器１１０、下り入力端子１０５を通じて受信する。光分波器１０６はその多波長光信号を受信光信号として受けて、これを分波して、それぞれ波長の異なる複数の受信光信号とする。単波長受光器１０７は、それらの複数の受信光信号を複数の下り出力端子１０８を通じてそれぞれ出力する。この結果、一つの光端子および光ファイバを通じて外部との光信号の送受信が可能になり、インタフェース装置を外部の装置と接続する光ファイバの使用量を半減でき光波長分割多重伝送システムおよび光通信サービスを廉価に提供することができる。
【００２７】
ところで、単波長光源器１０２に用いられる温度制御機構のないＣＷＤＭ用半導体レーザは、例えば、図２に示すように２０ｎｍ間隔のＩＴＵ−Ｔグリッド波長に対し、一定の波長ばらつきを持つ状態で製造、検査されて出荷される。図２ではこの波長ばらつきを±２ｎｍとした。実際の使用状態では、これらの半導体レーザを駆動回路と共に光インタフェース装置に組み込み、信号を入力して動作状態にするために、ドライバ回路や半導体レーザに数１０〜数１００ｍＡの電流を流す必要がある。
【００２８】
その結果、半導体レーザの素子温度が１０〜１５℃程度上昇し、半導体レーザの発振波長は１〜１．５ｎｍ長波長側にシフトする。さらに、装置の設置環境温度が５０℃まで上昇した場合、素子温度は６５℃程度まで上昇するため、レーザの発振波長は、初期ばらつきを考慮すると最大６ｎｍ長波長側にシフトすることがわかる。同様に、光インタフェース装置の設置環境温度が０℃程度まで下降した場合、半導体レーザの発振波長は最大３ｎｍ短波長側にシフトする。
【００２９】
従って、図２に示すように、光合波器１０３、光分波器１０６の透過帯域の中心波長を長波長側に１ｎｍずらし、透過帯域幅を９ｎｍ以上に設定することにより、前記温度変化による波長シフトをカバーできる。この結果、インタフェース装置の設置場所の環境温度が０〜５０℃の間で変化することによって、半導体レーザの発振波長がシフトしても、インタフェース機能を保持することが可能になる。この結果、従来行われていた送信部における半導体レーザの温度制御のための、温度検知素子や温度制御（調整）素子を用意する必要がなくなり、温度変動を許容しながら透過帯域幅を必要最低限とし、装置のコスト上昇を回避することができる。
【００３０】
図３は、本発明の第２の実施の形態による光波長分割多重伝送インタフェース装置を示すブロック図である。このインタフェース装置は、複数の上り入力端子３０１と、これらに対応する波長特性を持った複数の単波長光源器３０２と、複数の光合分流器３１０と、光合分波器３０３と、光端子３０９とを順次直列接続して構成した送信部を有する。
【００３１】
また、前記インタフェース装置は、光端子３０９と、光合分波器３０３と、この光合分波器３０３で分波された複数の波長出力にそれぞれ対応する複数の光合分流器３１０と、光合分流器３１０で分流された各波長ごとの光信号を受光する単波長受光器３０７と、これらの単波長受光器３０７に対応する下り出力端子３０８とを順次直列接続して構成した受信部を有する。
【００３２】
この第２の実施の形態によるインタフェース装置においては、まず、上り入力端子３０１からそれぞれ波長の異なる光入力信号を入力すると、単波長光源器３０２はあらかじめ設定されたそれぞれ異なる所定の周波数の光信号を、前記光入力信号にそれぞれ対応した振幅で発振する。この発振されて出力された複数の光信号を光合分流器３１０を通して光合分波器３０３へ出力し、この光合分波器３０３でこれらの光信号を合波する。これにより一つの多波長光信号が得られ、一つの光端子３０９から外部へ出力される。
【００３３】
一方、インタフェース装置は、外部からの一つの多波長光信号を一つの光端子３０９を通じて受信すると、その受信光信号を光合分波器３０３で分波し、波長の異なる複数の受信光信号とする。さらに、これら波長の異なる複数の受信光信号を、光合分流器３１０を通して単波長受光器３０７が受け、この単波長受光器３０７で受けた光信号を複数の下り出力端子３０８を通じてそれぞれ出力する。
【００３４】
従って、この第２の実施の形態では、単波長光源器３０２および単波長受光器３０７と光合分波器３０３とを光合分流器３１０を介して結ぶ光ファイバの使用量をさらに低減でき、装置および通信サービスの提供をより廉価に行うことができる。また、図１に示すような光合波器１０３と光分波器１０６を１つの光合分波器３０３にまとめることで、回路配置、接続、取扱いが容易となりコストの低減を図ることができる。
【００３５】
図４は、本発明の第３の実施の形態による光波長分割多重伝送インタフェース装置の概略構成を示している。この光波長分割多重伝送インタフェース装置は、複数の上り入力端子４０１と、これらに対応する波長特性を持った複数の単波長光源器４０２と、光合分波器４０４と、光端子４０９とを順次直列接続して構成した送信部を有する。
【００３６】
また、このインタフェース装置は、前記光端子４０９と、光合分波器４０４とこの光合分波器４０３で分波された複数の波長出力にそれぞれ対応する複数の単波長受光器４０７と、これらの単波長受光器４０７に対応する複数の下り出力端子４０８とを順次直列接続して構成した受信部を有する。
【００３７】
この第３の実施の形態によるインタフェース装置においては、まず上り入力端子４０１からそれぞれ波長の異なる光入力信号を入力すると、単波長光源器４０２は、あらかじめ設定されたそれぞれ異なる所定の周波数の光信号を、前記光入力信号にそれぞれ対応した振幅で発振する。この発振されて出力された複数の光信号を光合分波器４０４が受け、この光合分波器４０３は各光出力を合波することで、一つの多波長光信号にまとめて、一つの光端子４０９を介して外部へ出力する。
【００３８】
一方、インタフェース装置は外部から一つの多波長光信号を一つの端子４０９を通じて受信すると、その受信光信号を光合分波器４０４が分波して波長の異なる複数の受信光信号とする。これらの波長の異なる複数の受信光信号は単波長受光器４０７に入力され、この単波長受光器４０７で得られた光信号を複数の下り出力端子４０８を通じてそれぞれ出力する。
【００３９】
図３に示すような光合分流器３１０と光合分波器３０３を１つの光合分波器４０４で兼ねることで、回路配置、接続、取扱いが容易となり、コストの低減を図ることができる。
【００４０】
以上の各実施の形態では、従来の装置と異なって、単波長光源器１０２、３０２、４０２、光合波器１０３、光分波器１０６および光合分波器３０３、４０４がそれぞれペルチェ素子、サーミスタなどの温度調整機構のない安価な部品で構成されている。このため、本インタフェース装置は温度調整のための制御回路を設けておらず、従って消費電力が小さく、低コストで作成することができる。
【００４１】
なお、以上の各実施の形態において、光合分流器として、光カプラあるいは光サーキュレータを用いることができる。また、以上の各実施の形態において、単波長受光器を省略し、波長多重された光信号をそのまま下り出力端子を通じて出力する構成にしても同様の効果を得ることができる。
【００４２】
【発明の効果】
以上のように、本発明によれば光波長分割多重伝送インタフェース装置と外部装置とを結ぶ光信号伝送用の光ファイバを、光合分波器や光合分流器を用いることによって１本のみとすることにより、光ファイバの配線量を大幅に低減でき、従って光波長分割多重伝送システムおよび光通信サービスを廉価に提供できる。さらに、半導体レーザの温度制御をすることに代えて波長発振のシフトを必要最低限の透過帯域幅内で許容することで、従来のような温度検出や温度制御のための温度調整機構や回路を別途設ける必要がなくなり、また装置の小形化およびコストの低減を実現できるという効果が得られる。
【図面の簡単な説明】
【図１】本発明の光波長分割多重伝送インタフェース装置の第１の実施の形態を示すブロック図
【図２】本発明の実施の形態の動作を示す動作説明図
【図３】本発明の光波長分割多重伝送インタフェース装置の第２の実施の形態を示すブロック図
【図４】本発明の光波長分割多重伝送インタフェース装置の第３の実施の形態を示すブロック図
【図５】従来の光波長分割多重伝送インタフェース装置の一例を示すブロック図
【符号の説明】
１０２，３０２，４０２：単波長光源器、１０３：光合波器、１０６：光分波器、１０７，３０７，４０７：単波長受光器、１１０，３１０：光合分流器、３０３，４０４：光合分波器。
【図１】
2004297559.tif 000003
【図２】
2004297559.tif 000004
【図３】
2004297559.tif 000005
【図４】
2004297559.tif 000006
【図５】
2004297559.tif 000007